(57)【要約】 【課題】ドライアイスを全く使用することなく、遺体の冷却保存が可能で、操作性と信頼性を向上させた遺体冷却装置を提供する。【解決手段】冷媒圧縮機と凝縮器からなる冷凍機ユニット１、遺体の胴体部を冷却する胴体部冷却ユニット２及び首の背部を冷却する首部冷却ユニット６を４本のフレキシブルホース１５，１６，１７，１８で接続することにより冷凍サイクルを構成し、脚５により遺体と胴部冷却器３の隙間寸法の調整を可能にした。【選択図】図１
2006212303.tif 000002
【特許請求の範囲】
【請求項１】
冷凍機ユニットと冷却ユニットとをフレキシブルホースで接続する遺体冷却装置において、前記冷却ユニットは遺体の胴体部を上面から冷却する胴体部冷却ユニットと首の後部を冷却する首部冷却ユニットを有することを特徴とする遺体冷却装置。
【請求項２】
請求項１記載の遺体冷却装置において、胴体部冷却ユニットに首の前面部も冷却可能とするために胴体部冷却ユニットを上面又は下面から見て凸形状とした凸部を設けたことを特徴とする遺体冷却装置。
【請求項３】
請求項１および２のいずれか１項に記載の遺体冷却装置において、胴体部冷却ユニットの両側面に、それぞれの高さおよび胴体部冷却ユニットの幅の調整を可能とし、更に折りたたみ又は取外しを可能とした４本の脚を備え、遺体と胴体部冷却ユニットの関係寸法を適切に調整可能としたことを特徴とする遺体冷却装置。
【請求項４】
請求項１、２および３のいずれか１項に記載の遺体冷却装置において、胴体部冷却ユニットの後部一側面にフレキシブルホース接続部を集中配置し、更に首部冷却ユニットとの接続部２箇所を胴体部冷却ユニットの後部一側面の両端部に離して配置したことを特徴とする遺体冷却装置。
【請求項５】
冷凍機ユニットと冷却ユニットとをフレキシブルホースで接続する遺体冷却装置の運転を停止する前に、前記冷凍機ユニットと前記冷却ユニットとを接続するフレキシブルホース内、胴体部冷却ユニット内および首部冷却ユニットの冷媒を前記冷凍機ユニットに回収を可能にし、冷媒出口と入口にボールバルブなどの止め弁を設けた前記遺体冷却装置において、若干の冷媒が接続ホースと各冷却ユニット内に残るようにするために、任意の圧力が設定可能な低圧スイッチを設けたことを特徴とする遺体冷却装置。
【発明の詳細な説明】
【技術分野】
【０００１】
本発明は、死後、布団やベッドに安置された遺体の腐敗を防止するために遺体を冷却する遺体冷却装置に関する。
【背景技術】
【０００２】
死後、通夜から火葬までの間、遺体の腐敗進行を防止するためにドライアイスを遺体の周囲に置く方法が主流となっている。また、冷凍機を使用した冷却装置も知られている。
【特許文献１】特開２００４−２０１７７０号公報
【特許文献２】特開平８−５２１８２号公報
【発明の開示】
【発明が解決しようとする課題】
【０００３】
ドライアイスを使用する方法は、ドライアイスの昇華点が−７８．９℃であり、昇華速度が速く大量に消費することになる。また発生する炭酸ガスは地球温暖化ガスであり環境上問題である。特許文献１に記載されている冷凍機を使用した冷却装置は遺体の胴体部の冷却を可能としているが、冷却が必要な首の部分の冷却ができないために、ドライアイスとの併用が必要となる。本発明は、ドライアイスを使用することなく、遺体の胴部と首部を効率よく冷却可能とし、更に操作性および信頼性を向上することができる遺体冷却装置を提供することを目的とする。
【課題を解決するための手段】
【０００４】
前記課題を解決するために、第１の発明は冷凍サイクルの蒸発器である冷却ユニットが胴体部を上面から冷却する胴体部冷却ユニットと首の後部（背面）を冷却する首部冷却ユニットの２つのユニットから構成されており、遺体の胴体部と首部を効率よく冷却することができる。胴体部冷却ユニットと首部冷却ユニットはフレキシブルホースによって圧縮機、凝縮器および冷却ファンからなる冷凍機ユニットに接続され、冷凍サイクルを構成している。
【０００５】
第２の発明は、第１の発明に係わる遺体冷却装置の胴体部冷却ユニットに首前面部の冷却も可能とするために、胴体部冷却ユニットの形状を上面（又は下面）方向から見て凸形状とした。これにより、遺体の首前部を覆うことが可能となり、より効率良く首部を冷却することができる。
【０００６】
第３の発明は、第１および第２の発明に係わる遺体冷却装置の胴体部冷却ユニットの冷却面（下面）と遺体の空間距離を調整可能とするために高さ調整が可能な４本の脚を胴体部冷却ユニットの両側面に取付けることができる構造とした。また、４本の脚は取外しも可能としているため、胴体部冷却ユニット側面と脚の間にスペーサを挟むことにより脚間の幅調整もでき、遺体の大きさへの対応も可能である。更に脚を折りたたむことにより持ち運びを容易にすることもできる。
【０００７】
第４の発明は、第１、第２および第３の発明に係わる遺体冷却装置の設置及び操作性を良くするために、胴体部冷却ユニットの後部一側面（遺体の下半身方向）にフレキシブルホース接続部を集中配置することにより胴体部冷却ユニットと冷凍機ユニットおよび首部冷却ユニットとの接続を容易に行うことができ、更に首部冷却ユニットとの接続部を胴体部冷却ユニットの後部一側面の両端部に配置することにより、フレキシブルホースを遺体の両側面に配置することが可能となり、ホースの配置処理を容易とした。
【０００８】
第５の発明は冷凍機ユニットと冷却ユニットをフレキシブルホースで接続する遺体冷却装置の使用を終了し、移動する前に冷却ユニット及びフレキシブルホース内の冷媒を冷凍機ユニット内に回収し、フレキシブルホース表面や接続口からの冷媒漏れをできるだけ防止し、装置としての信頼性を向上させるものである。冷媒回収は大気圧以下になるまで回収するのが通常であるが、フレキシブルホースの取付け取外し操作が都度発生するため、若干の冷媒が残存する程度まで回収し、空気の冷凍サイクル内への浸入を防ぐようにした。手段としては冷凍機ユニットの入口と出口にボールバルブを取付け、低圧側に圧力スイッチを設置することより自動的に回収運転を停止することができる。
【発明の効果】
【０００９】
請求項１から５に記載の遺体冷却装置は、遺体の胴体部と首部の冷却が可能なため従来から使用されているドライアイスを全く使用しなくて良い。課題であったドライアイスの管理の煩わしさや炭酸ガスの発生による環境問題が無くなり、また、操作性及び信頼性の向上に寄与するという利点がある。
【発明を実施するための最良の形態】
【００１０】
冷却ユニットを胴体部冷却ユニットと首部冷却ユニットで構成し、それらのユニットと冷凍機ユニットをフレキシブルホースで接続することにより、ドライアイスを全く使用しなくても良い遺体冷却装置を実現した。
【実施例１】
【００１１】
本発明による遺体冷却装置について図を用いて説明する。図１は、本発明の一実施の最良形態例を示す。冷凍機ユニット１、胴体部冷却ユニット２および首部冷却ユニット６は４本のフレキシブルホース１５，１６，１７，１８で接続され、冷凍サイクルを用いた遺体冷却装置を構成している。冷凍機ユニット１の冷媒出口と戻り口にはそれぞれボールバルブ７，８を備えている。胴体部冷却器３の両側面部には高さ調整、折りたたみ又は取外し可能な４本の脚５を備えている。また、後部一側面にフレキシブルホース接続口９，１０，１１，１２  が集中配置されており、更に首部冷却ユニット６への接続口９，１２は後部一側面の両端に配置されている。全てのフレキシブルホースは首部冷却ユニット６のホース接続部１３，１４以外は取外し可能なセルフシールジョイント方式としている。本実施例の冷却器３は上面(又は下面)方向から見て凸形状とし、首部前面の冷却も可能としているが、凸部４が無い形状でも良い。
【００１２】
図２は、胴体部冷却器３の断面構造の一実施例を示す。蒸発器配管２３は冷却面２１に密着した形で取付けられ、ウレタンなどの断熱材２４を介してカバー２２で冷却器３を構成している。なお、首部冷却ユニット６も同一構造である。        
【００１３】
図３は、胴体部冷却ユニット２の高さ調整、折りたたみ又は取外し可能な脚５の実施例を示す。高さ調整は高さ調整ノブ１９により、また折りたたみ又は取外しは  調整ノブ２０により行うことができる。図中の矢印は脚を折りたたむ方向を示している。調整ノブ２０により脚５を取外し、胴体部冷却ユニット側面と脚５との間にスペーサを挟むことにより脚間の幅調整も可能となる。高さ調整は調整ノブ１９を用い、締め付け位置を変えることで行ったがこの方法に限定することはない。
【００１４】
以上の構成からなる遺体冷却装置を実際に使用する場合には、胴体部冷却ユニット２を遺体の上を覆うように置き、脚５の高さ及び幅を調整し遺体と胴部冷却器３の関係寸法を適切に保つ。フレキシブルホース１６，１７が接続された状態の首部冷却ユニット６を遺体の首の背面に置く。この時、首部冷却ユニット６及びホース１６，１７をシートで覆うことにより、それらが見えなくすることができる。セルフシールジョイントが付いた４本のフレキシブルホース１５，１６，１７，１８を胴体部冷却ユニット２及び冷凍機ユニット１に接続し、運転準備は完了する。胴体部冷却ユニット２のフレキシブルホース接続口９，１０，１１，１２は一端面に集中配置されているため接続作業を容易に行うことができ、またフレキシブルホース１６，１７は遺体を避けて配置することができる。胴体部冷却ユニット２を掛け布団で覆えばユニット及びホースは外部から見えなくなり、また冷却空間が形成される。
【００１５】
冷凍機ユニット１を運転すると、冷却空間は冷却されることになる。また冷却空間の温度制御は胴体部冷却器３の冷却面２１に取付けられている温度センサー（図示なし）によって行う。
【００１６】
装置の使用を終了するときには冷凍機ユニット１の出口ボールバルブ７を閉じ、冷媒回収運転状態とする。低圧側の圧力が設定圧力まで低下すると、低圧スイッチ(図示なし)が動作し、冷凍機ユニット１は自動停止する。その時点で入口ボールバルブ８を閉じ、冷凍機ユニットの運転を停止することにより操作は完了する。フレキシブルホースを取外し、脚を折りたたむか外すことにより装置の移動は可能となる。本発明は実施例に示した形態に限定されるものではなく、本発明の主旨を変更しない範囲で、例示した変形例を組み合わせた構成も本発明の権利範囲に入る。              
【産業上の利用可能性】
【００１７】
首部冷却ユニットを使用する必要が無い場合には、２本のフレキシブルホースを用いて冷凍機ユニットと胴体部冷却ユニットを接続することにより、胴体部のみの冷却用途にも適用できる。  
【図面の簡単な説明】
【００１８】
【図１】遺体冷却装置の構成説明図である。(実施例)
【図２】胴体部冷却器実施例の断面構造説明図である。
【図３】胴体部冷却ユニット取付け脚の実施例説明図である。
【符号の説明】
【００１９】
１  冷凍機ユニット                                                              ２  胴体部冷却ユニット                                                          ３  胴体部冷却器                                                                ４  胴体部冷却器凸部                                                            ５  脚                                                                          ６  首部冷却ユニット                                                            ７  出口ボールバルブ
８  入口ボールバルブ                                                            ９，１０，１１，１２  フレキシブルホース接続口                                  １３，１４  ホース接続部                                                        １５，１６，１７，１８  フレキシブルホース                                      １９  高さ調整ノブ                                                              ２０  調整ノブ                                                                  ２１  冷却面                                                                    ２２  カバー                                                                    ２３  蒸発器配管                                                                ２４  断熱材  
【図１】
2006212303.tif 000003
【図２】
2006212303.tif 000004
【図３】
2006212303.tif 000005